(57)【特許請求の範囲】
【請求項１】
媒体の画像を読み取る読取部と、
前記読取部から媒体排出口に向かう方向を第１方向、前記第１方向とは反対の方向を第２方向として、前記読取部に対し前記第２方向に位置するローラー対であって、前記媒体及び複数枚の前記媒体が重ねられた媒体束を搬送する第１搬送ローラー対と、
前記読取部に対し前記第２方向に位置し、前記媒体及び前記媒体束を搬送する第２搬送ローラー対と、
前記第１搬送ローラー対及び前記第２搬送ローラー対の駆動源と、を備え、
前記第１搬送ローラー対を構成する二つのローラーの双方が、前記駆動源によって駆動可能であり、
前記第２搬送ローラー対を構成する二つのローラーの双方が、前記駆動源によって駆動可能であり、
前記媒体束を搬送する際、前記第１搬送ローラー対を構成する二つのローラーの双方と、前記第２搬送ローラー対を構成する二つのローラーの双方とを駆動し、
前記読取部は、
媒体搬送経路を挟んで配置された第１読取部及び第２読取部を有し、
前記第１読取部の読取面と前記第２読取部の読取面との間隔が変更可能であり、
前記媒体束を前記第１搬送ローラー対及び前記第２搬送ローラー対によって搬送する場合における前記間隔は、前記媒体を前記第１搬送ローラー対及び前記第２搬送ローラー対によって搬送する場合における前記間隔よりも広い、
ことを特徴とする画像読取装置。
【請求項２】
請求項１に記載の画像読取装置において、
前記媒体を載置する載置部と、
前記載置部から前記媒体を給送する給送部と、を備え、
前記給送部は、
前記媒体を給送する給送ローラーと、
前記給送ローラーとの間で前記媒体をニップして前記媒体の分離を行う分離ローラーと、を有し、
前記給送部は前記媒体を分離して前記第１搬送ローラー対へと搬送する、
ことを特徴とする画像読取装置。
【発明の詳細な説明】
【技術分野】
【０００１】
本発明は、原稿を読み取る画像読取装置に関する。
【背景技術】
【０００２】
画像読取装置の一例であるスキャナーには、媒体としての原稿を自動で送る自動給送装置（ＡＤＦ（Auto Document Feeder）とも呼ばれる）が設けられ、複数枚の原稿の自動送りと読み込みとを行える様に構成される場合がある。  
このような構成の画像読取装置において、例えばパスポートや通帳のような冊子体を読み取りたいといったユーザーのニーズがある。
【０００３】
複数枚の原稿を自動で送る自動給送装置によって、前記冊子体の開いたページを読み取らせる場合、前記自動給送装置が重なったページを分離して一枚ずつ送ろうとしてしまい、開いた前記冊子体が送れない状態となり、更には、ジャム（詰まり）が生じて前記冊子体のページを傷めてしまう虞がある。  
また、開いた前記冊子体は厚みがあり、媒体を搬送する搬送ローラー対の２つのローラー間に前記冊子体が入っていかず、ノンフィード状態になる場合がある。
【０００４】
ここで、前記自動給送装置で前記冊子体を給送可能なスキャナーとして、読み取るページを開いた状態の前記冊子体を透明なホルダーに入れて、前記自動給送装置によって送るように構成されるものがある（例えば、特許文献１）。
【先行技術文献】
【特許文献】
【０００５】
【特許文献１】特開２０１６−１７４２４７号公報
【発明の概要】
【発明が解決しようとする課題】
【０００６】
しかし、ホルダーに入れた冊子体を搬送して読み取らせる特許文献１に記載のスキャナーでは、前記冊子体を前記ホルダーに入れる手間がかかる。  
また、前記ホルダーに入れた前記冊子体は、前記冊子体単体よりも厚みが増すため、前記搬送ローラー対においてノンフィードが発生する問題は解決されない。
【０００７】
本発明はこの様な状況に鑑みてなされたものであり、その目的は、冊子体の読み取りを容易且つ適切に実行できる画像読取装置を提供することにある。
【課題を解決するための手段】
【０００８】
上記課題を解決する為の、本発明の第１の態様に係る画像読取装置は、媒体の画像を読み取る読取部と、媒体載置部に載置される前記媒体を前記読取部に向けて給送する場合に、複数枚の媒体が重ねられた媒体束を分離して給送する分離給送を行う第１給送モードと、前記媒体束を分離せずに纏めて給送する非分離給送を行う第２給送モードと、を選択可能な媒体給送部と、前記媒体給送部の媒体給送方向下流側に設けられる駆動ローラーと、前記駆動ローラーの回転に従動回転する従動ローラーと、を備え、前記媒体給送部が、前記第２給送モードで給送を行う場合には、前記従動ローラーが、前記媒体を搬送する回転方向に駆動することを特徴とする。
【０００９】
本態様によれば、前記媒体給送部が、前記第２給送モードで給送を行う場合には、前記従動ローラーを、前記媒体を搬送する回転方向に駆動するので、前記第２給送モードを実行して、一枚ずつ分離しながら給送すると給送不良やジャムを生じる虞がある媒体束（例えば、パスポートや通帳のような冊子体や書類束など）を簡単にセットして給送することができることに加え、一枚の媒体よりも厚い前記媒体束が、駆動ローラーと従動ローラーとの間に進入しない、所謂、ノンフィードの状態になる虞を低減し、前記媒体束の適切な搬送を実現できる。
【００１０】
本発明の第２の態様は、媒体の画像を読み取る読取部と、媒体載置部に載置される前記媒体を前記読取部に向けて給送する場合に、複数枚の媒体が重ねられた媒体束を分離して給送する分離給送を行う第１給送モードと、前記媒体束を分離せずに纏めて給送する非分離給送を行う第２給送モードと、を選択可能な媒体給送部と、前記媒体給送部の媒体給送方向下流側に設けられる駆動ローラーと、前記駆動ローラーの回転に従動回転する従動ローラーと、を備え、前記媒体給送部が、前記第２給送モードで給送を行う場合には、前記従動ローラーが前記駆動ローラーに対して与える接触荷重を、前記第１給送モードを実行する場合における前記接触荷重よりも小さくする、ことを特徴とする。
【００１１】
本態様によれば、前記媒体給送部が、前記第２給送モードで給送を行う場合には、前記従動ローラーが前記駆動ローラーに対して与える接触荷重を、前記第１給送モードを実行する場合における前記接触荷重よりも小さくするので、前記第２給送モードを実行して、一枚ずつ分離をしながら給送すると給送不良やジャムを生じる虞がある媒体束を簡単にセットして給送することができることに加え、一枚ずつ搬送される媒体よりも厚い前記媒体束が、駆動ローラーと従動ローラーとの間に進入しない、所謂、ノンフィードの状態になる虞を低減し、前記媒体束の適切な搬送を実現できる。  
尚、前記第２給送モードを実行する場合における前記接触荷重は、前記第１給送モードを実行する場合における前記接触荷重よりも小さければ良く、前記接触荷重がゼロである場合も含むものとする。
【００１２】
本発明の第３の態様は、第２の態様において、前記従動ローラーが前記駆動ローラーに対して前記接触荷重を与える方向に沿って変位可能なバネ支持部と、前記バネ支持部と前記従動ローラーとの間に設けられ、前記従動ローラーを押圧する押圧バネと、を備える荷重付与手段を備え、前記ばね支持部を変位させることにより、前記接触荷重を調整する、
ことを特徴とする。
【００１３】
本態様によれば、前記従動ローラーが前記駆動ローラーに対して与える前記接触荷重を、容易に調整する構成とすることができる。
【００１４】
本発明の第４の態様は、第２の態様において、前記従動ローラーは、前記駆動ローラーから離間可能に構成され、前記媒体給送部が、前記第２給送モードで給送を行う場合に、前記従動ローラーが前記駆動ローラーから離間する、ことを特徴とする。
【００１５】
本態様によれば、前記媒体給送部が、前記第２給送モードで給送を行う場合に、前記従動ローラーが前記駆動ローラーから離間するので、前記第２給送モードにおける前記接触荷重をゼロにして、前記ノンフィードの発生の虞を一層低減することができる。
【００１６】
本発明の第５の態様は、第１の態様から第４の態様のいずれか一つにおいて、前記媒体給送部は、前記媒体を給送する給送ローラーと、前記給送ローラーに接触する接触状態と、前記給送ローラーから離間する離間状態と、の間で変位可能に構成される分離ローラーと、を備え、前記媒体給送部が、前記第１給送モードで給送を行う場合に、前記分離ローラーを前記接触状態にして、前記媒体を前記読取部による読み取り方向に送る場合の回転方向である正回転方向とは逆の逆回転方向に回転駆動させ、前記媒体給送部が、前記第２給送モードで給送を行う場合に、前記分離ローラーを前記離間状態にする、ことを特徴とする。
【００１７】
本態様によれば、前記媒体給送部において、前記第１給送モードと、前記第２給送モードと、の切り替えを容易に実現できる。
【００１８】
本発明の第６の態様は、第５の態様において、前記媒体給送部と、前記媒体給送部に最も近い位置にある前記駆動ローラーと、の間に設けられて、前記媒体を検出する媒体検出部を備え、前記媒体検出部が、前記媒体給送部が前記第２給送モードで給送する媒体の先端の通過を検出した場合に、前記分離ローラーを前記接触状態にして、前記正回転方向に回転駆動する、ことを特徴とする。
【００１９】
本態様によれば、前記給送ローラーによって給送される前記媒体束がある程度送られた場合に、前記分離ローラーを前記接触状態にして、前記正回転方向に回転駆動する構成とすることができる。以って、前記正回転方向に回転駆動する前記分離ローラーと、前記給送ローラーによる搬送力を前記媒体束に付与することができる。
【００２０】
本発明の第７の態様は、第１の態様から第４の態様のいずれか一つにおいて、前記媒体給送部は、前記媒体を給送する給送ローラーと、少なくとも前記媒体を前記読取部による読み取り方向に送る場合の回転方向である正回転方向とは逆の逆回転方向に回転駆動される分離ローラーと、歯合する複数の歯車によって構成される輪列を有し、前記分離ローラーに駆動源からの動力を伝達する動力伝達機構と、を備え、前記媒体給送部が、前記第２給送モードで給送を行う場合に、前記輪列を構成する複数の歯車の一部の歯合が解除される、ことを特徴とする。
【００２１】
本態様によれば、前記媒体給送部において、前記第１給送モードと、前記第２給送モードと、の切り替えを容易に実現できる。
【００２２】
本発明の第８の態様は、第１の態様から第７の態様のいずれか一つにおいて、前記読取部は、前記媒体給送部が送る前記媒体の第１面を読み取る第１読取部と、前記第１面の反対面である第２面を読み取る第２読取部と、を備え、前記第１読取部と前記第２読取部との間隔を変更可能に構成され、前記媒体給送部が、前記第２給送モードを実行する場合の前記間隔を、前記第１給送モードを実行する場合の前記間隔よりも広くする、ことを特徴とする。
【００２３】
本態様によれば、前記第１読取部と前記第２読取部との間隔を変更可能に構成され、前記媒体給送部が、前記第２給送モードを実行する場合の前記間隔を、前記第１給送モードを実行する場合の前記間隔よりも広くするので、一枚ずつ搬送される媒体よりも厚い前記媒体束が、前記第１読取部と前記第２読取部との間に引っかかってジャムが発生する虞を低減できる。
【００２４】
本発明の第９の態様は、第１の態様から第８の態様のいずれか一つにおいて、ページめくり機構を有する前記従動ローラーを備える、ことを特徴とする。  
本態様によれば、複数枚の媒体束が冊子体である場合に、自動でページをめくりつつ読み取りを行うことができる。
【００２５】
本発明の第１０の態様は、第９の態様において、前記搬送ローラー対は、前記ページめくり機構は、前記媒体を前記読取部による読み取り方向とは逆方向に搬送する逆回転方向に回転駆動される前記従動ローラーによって、前記媒体束の最上位の媒体をめくる構成である、ことを特徴とする。  
本態様によれば、前記ページめくり機構を構成簡単に形成することができる。
【図面の簡単な説明】
【００２６】
【図１】第１実施形態に係るスキャナーを示す外観斜視図。
【図２】第１実施形態に係るスキャナーにおける用紙搬送経路を示す側断面図。
【図３】第１実施形態に係るスキャナーの概略側断面図。
【図４】第２実施形態に係るスキャナーの概略側断面図。
【図５】ページめくり機構によるページをめくり動作について説明する図。
【図６】ページめくり機構によるページをめくり動作について説明する図。
【図７】媒体給送部の「第１給送モード」と「第２給送モード」との切り替えを操作する操作部が設けられたスキャナーを示す外観斜視図。
【図８】媒体給送部の「第１給送モード」における動力伝達機構の状態を示す斜視図。
【図９】媒体給送部の「第２給送モード」における動力伝達機構の状態を示す斜視図。
【図１０】動力伝達機構の要部拡大図であり、媒体給送部の「第１給送モード」と「第２給送モード」とを切り替えた場合の歯車の変位について説明する図。
【発明を実施するための形態】
【００２７】
［第１実施形態］
まず、本発明の一実施形態に係る画像読取装置の概略について説明する。  
本実施形態では画像読取装置の一例として、「媒体」としての用紙の表面及び裏面の少なくとも一面を読み取り可能なドキュメントスキャナー（以下、単にスキャナー１と称する）を例に挙げる。
【００２８】
図１は、第１実施形態に係るスキャナーを示す外観斜視図である。図２は、第１実施形態に係るスキャナーにおける用紙搬送経路を示す側断面図である。図３は、第１実施形態に係るスキャナーの概略側断面図である。
【００２９】
各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、用紙Ｐが給送されていく方向（＋Ｙ方向側）を「下流」といい、これと反対の方向（−Ｙ方向側）を「上流」という。
【００３０】
■■■スキャナーの概要■■■
以下、主として図１及び図２を参照して、本発明に係るスキャナー１について説明する。  
図１に示すスキャナー１は、用紙Ｐ（媒体）の画像を読み取る読取部２０（図２）を内部に備える装置本体２を備えている。  
装置本体２は、下部ユニット３及び上部ユニット４を備えて構成されている。上部ユニット４は下部ユニット３に対して用紙搬送方向下流側を回動支点として開閉可能に取り付けられており、上部ユニット４を装置前面側に回動して開き、用紙Ｐの用紙搬送経路を露呈させて用紙Ｐの紙詰まりの処理を容易に行うことができる様に構成されている。
【００３１】
装置本体２の装置背面側（−Ｙ軸方向側）には、用紙Ｐを載置する媒体載置部１１が設けられている。媒体載置部１１には複数枚の用紙Ｐを重ねた用紙束を載置することができる他、複数枚の用紙が冊子状になった冊子体Ｇ（図３）を原稿として載置することができる。図３において、見開かれた冊子体Ｇは、綴じられた背の部分を幅方向（Ｘ軸方向）に沿うように向けてセットされている。  
尚、媒体載置部１１は、装置本体２に対して着脱可能に設けられている。符号１１ａは、用紙Ｐの載置面１１ａである。
【００３２】
また、媒体載置部１１には、用紙Ｐの給送方向（Ｙ軸方向）と交差する幅方向（Ｘ軸方向）の側縁をガイドするガイド面１３を備える左右一対のエッジガイド１２、１２が設けられている。  
エッジガイド１２、１２は、用紙Ｐのサイズに応じてＸ軸方向にスライド移動可能に設けられている。本実施形態において、エッジガイド１２、１２は、公知のラックピニオン機構により一方のエッジガイド１２（例えば＋Ｘ側）のＸ移動に追従して、他方のエッジガイド１２（−Ｘ側）が相対する方向に移動するように構成されている。  
すなわち、媒体載置部１１において、用紙Ｐは幅方向の中央に揃えられ、後述する給送ローラー１４は前記幅方向の中央領域に設けられ、所謂、センター給紙方式で給紙されるように構成されている。
【００３３】
媒体載置部１１は、第１補助ペーパーサポート８及び第２補助ペーパーサポート９を備えている。第１補助ペーパーサポート８及び第２補助ペーパーサポート９は、図２に示す様に媒体載置部１１の内部に収納可能であり、且つ、図１に示す様に媒体載置部１１から引き出し可能に構成され、載置面１１ａの長さを調整可能になっている。
【００３４】
図１に示すように、上部ユニット４の装置前面側には、各種読み取り設定や読み取り実行の操作や、読み取り設定内容等を表示する操作パネル７が設けられている。  
上部ユニット４の上部には装置本体２内部に連なる給送口６が設けられており、媒体載置部１１に載置される用紙Ｐは、給送口６から装置本体２内部に設けられる読取部２０（図２）に向けて送られる。  
また、下部ユニット３の装置前面側には、後述する排紙トレイ５が設けられている。
【００３５】
■■■スキャナーにおける用紙搬送経路について■■■
次に、図２及び図３を参照して、スキャナー１における用紙搬送経路について説明する。尚、図２における点線は用紙搬送経路を示している。  
図２に示すスキャナー１において、原稿としての用紙Ｐは、媒体載置部１１から媒体給送部１０によって読取部２０に向けて送られる。
【００３６】
本実施形態において、媒体給送部１０は、用紙Ｐを給送する給送ローラー１４と、給送ローラー１４との間で用紙Ｐをニップするとともに、用紙Ｐの送り方向とは反対方向（図３を平面視して反時計回り）に回転して用紙Ｐを分離する分離ローラー１５を備えている。媒体給送部１０はセンター給紙方式で給紙する構成であり、給送ローラー１４及び分離ローラー１５は、媒体搬送方向（＋Ｙ方向）と交差する媒体幅方向（Ｘ軸方向）において中央領域に設けられている。
【００３７】
媒体給送部１０は、媒体載置部１１に載置される用紙Ｐを読取部２０に向けて給送する場合に、複数枚の用紙Ｐが重ねられた用紙束を分離して給送する分離給送を行う「第１給送モード」と、前記用紙束を分離せずに纏めて給送する非分離給送を行う「第２給送モード」と、を選択可能に構成されている。
【００３８】
このことにより、スキャナー１は、１枚ずつ分離して給送（分離給送）される用紙を読み取る場合の他、一枚ずつ分離しながら給送すると給送不良やジャムを生じる虞がある前記用紙束、例えば、パスポートや通帳のような冊子体Ｇ（図３）や書類束などを、シートホルダーやケースに入れることなく、そのまま媒体載置部１１にセットして給送し、読取部２０によって読み取ることができる。  
尚、媒体給送部１０の動作は、装置本体２内部に設けられる制御部１９によって制御される。媒体給送部１０が「第１給送モード」或いは「第２給送モード」の給送を行う場合の、媒体給送部１０の具体的な動作については、後で詳述する。
【００３９】
また、給送ローラー１４の下流側には、給送ローラー１４（媒体給送部１０）によって給送された用紙Ｐを搬送する第１搬送ローラー対１６と、第２搬送ローラー対１７と、が設けられている。  
第１搬送ローラー対１６と第２搬送ローラー対１７との間に、読取部２０が設けられている。
【００４０】
図２において、媒体載置部１１に載置された用紙Ｐは、下部ユニット３に対して回転可能に設けられた給送ローラー１４によりピックアップされて下流側（＋Ｙ方向側）に給送される。具体的には、用紙Ｐの媒体載置部１１に対向する面に、給送ローラー１４が接触しつつ回転することにより、用紙Ｐを下流側に向けて給送する。したがって、スキャナー１において複数枚の用紙Ｐを媒体載置部１１にセットした場合には、載置面１１ａ側の用紙Ｐから順に下流側に向けて給送される。
【００４１】
第１搬送ローラー対１６は、読取部２０の上流側に設けられ、給送ローラー１４によって給送された用紙Ｐを読取部２０に向けて搬送する。第１搬送ローラー対１６は、第１駆動ローラー１６ａ（駆動ローラー）と、第１従動ローラー１６ｂ（従動ローラー）と、を備えて構成されている。  
第１搬送ローラー対１６も、給送ローラー１４と同様に、前記媒体幅方向において中央領域に設けられている。
【００４２】
読取部２０は、上部ユニット４側に設けられた第１読取部２０ａと、下部ユニット３側に設けられた第２読取部２０ｂとを備えている。本実施形態において、第１読取部２０ａ及び第２読取部２０ｂは一例として密着型イメージセンサーモジュール（ＣＩＳＭ）として構成されている。  
第１読取部２０ａは、用紙Ｐの「第１面」としてのおもて面（上側を向く面）を読み取り、第２読取部２０ｂは、前記「第１面」の反対面である「第２面」としての裏面（下側を向く面）を読み取る。
【００４３】
用紙Ｐは、読取部２０において用紙Ｐのおもて面及び裏面の少なくとも一方の面の画像を読み取られた後、読取部２０の下流側に位置する第２搬送ローラー対１７にニップされて、下部ユニット３の装置前面側に設けられた排出口１８から排出される。第２搬送ローラー対１７は、第２駆動ローラー１７ａ（駆動ローラー）と、第２駆動ローラー１７ａの回転に従動回転する第２従動ローラー１７ｂ（従動ローラー）と、を備えて構成されている。
【００４４】
尚、本実施形態において給送ローラー１４は、図３に示すように、下部ユニット３内に設けられる第１駆動源２６によって回転駆動される。また、分離ローラー１５、第１駆動ローラー１６ａ、及び第２駆動ローラー１７ａは、同じく図３に示す第２駆動源２７によって回転駆動される。  
第１駆動源２６及び第２駆動源２７は制御部１９により制御され、以って、給送ローラー１４、分離ローラー１５、第１駆動ローラー１６ａ、及び第２駆動ローラー１７ａの駆動が制御されている。すなわち、制御部１９は用紙Ｐの送り動作を制御する。
【００４５】
また、下部ユニット３には、排出口１８から装置前面側に向けて引き出し可能に構成された排紙トレイ５が設けられている。排紙トレイ５は、下部ユニット３の底部に収納された状態（図１）と、図示を省略する装置前面側に引き出した状態とを取り得る。排紙トレイ５を引き出した状態において、排出口１８から排出された用紙Ｐを排紙トレイ５上に積載することができる。
【００４６】
尚、図２に示すように、媒体給送方向において媒体移動検出部２１の下流側、且つ、給送ローラー１４の上流側であって媒体載置部１１による用紙の載置領域内には、媒体載置部１１に載置される用紙Ｐの有無を検出する第１検出部２２が設けられている。また、給送ローラー１４の下流側と、第１搬送ローラー対１６の下流側と、第２搬送ローラー対１７の下流側には、順に、第２検出部２３、第３検出部２４、及び第４検出部２５が設けられている。第２検出部２３と第３検出部２４によって、媒体給送方向における用紙Ｐの位置を検出することができる。  
第１検出部２２、第２検出部２３、第３検出部２４、及び第４検出部２５は、前記幅方向の中央領域に設けられている。
【００４７】
第１検出部２２、第２検出部２３、第３検出部２４、及び第４検出部２５としては、光を発する発光部（図示省略）と、前記発光部から発せられた光の反射光を受光する受光部（図示省略）を備える光センサーを用いることができる。また、前記光センサーの他、超音波を発する発信部と、搬送される用紙を挟んで前記発信部と対向して設けられる受信部とを備える超音波式センサーを用いることも可能である。また、搬送される用紙の接触によって動かされる機械式レバーの変位を、光学式或いは電気接触式で検出するレバー式センサーを用いることもできる。
【００４８】
■■■第１給送モードと第２給送モードとを切り替える構成について■■■
以下、媒体給送部１０が、複数枚の用紙Ｐが重ねられた用紙束を分離して給送する分離給送を行う「第１給送モード」と、前記用紙束を分離せずに纏めて給送する非分離給送を行う「第２給送モード」との切り替えについて説明する。
【００４９】
本実施形態に係る媒体給送部１０において、分離ローラー１５は、給送ローラー１４に接触する接触状態と、給送ローラー１４から離間する離間状態と、の間で変位可能に構成されている。
【００５０】
より具体的には、図３に示すように、分離ローラー１５はホルダー２８に保持されており、ホルダー２８が押圧部材２９によって押圧されることにより、分離ローラー１５が給送ローラー１４に向けて押圧されている。  
分離ローラー１５はホルダー２８ごと給送ローラー１４に対して進退する方向に変位可能に構成されており、制御部１９によって制御される不図示の駆動源から動力を受けて回転する第１偏心カム３０を回転させることにより、分離ローラー１５が給送ローラー１４に接触する接触状態（図３において実線で示す）と、分離ローラー１５が給送ローラー１４から離間する離間状態（図３において点線で示す）と、を切り換え可能になっている。  
尚、図３において、離間状態における押圧部材２９と第１偏心カム３０も点線で示している。
【００５１】
そして、媒体給送部１０が、用紙の分離給送を行う「第１給送モード」で給送する場合には、分離ローラー１５を前記接触状態にして、用紙を読取部２０による読み取り方向（＋Ｙ方向）に送る場合の回転方向である正回転方向（図３を平面視して時計回り）とは逆の逆回転方向（図３平面視して反時計回り）に回転駆動させる。このことによって、複数枚の用紙のうちの最下位（一番下）の用紙が分離されて給送ローラー１４によって給送される。
【００５２】
尚、分離ローラー１５には不図示のトルクリミッタが設けられており、分離ローラー１５と給送ローラー１４との間に媒体が存在しない場合、或いは１枚のみ存在する場合には、上記トルクリミッタで滑りが生じ、分離ローラー１５が従動回転する（図３の時計回り方向）。２枚目以降の媒体が分離ローラー１５と給送ローラー１４との間に入り込むと、媒体間でスリップが生じ、分離ローラー１５は第２駆動源２７から受ける回転トルクによって逆回転する（図３の反時計回り方向）。これにより、媒体の重送が抑制される。
【００５３】
一方、媒体給送部１０が、用紙の非分離給送を行う「第２給送モード」で給送する場合には、分離ローラー１５を前記離間状態にする。分離ローラー１５が給送ローラー１４から離れることにより、分離ローラー１５による用紙の分離能力を低くする、或いは分離能力が無い状態にすることができる。  
以って、媒体載置部１１に載置された用紙束（図３において冊子体Ｇ）を分離しない、つまり、非分離の状態で給送することができる。  
尚、前記離間状態の分離ローラー１５が、媒体載置部１１に載置された用紙束（冊子体Ｇ）の一番上の面に接触しない位置まで離間している場合には、分離ローラー１５による分離は行われない。前記離間状態の分離ローラー１５は、媒体載置部１１に載置された用紙束（冊子体Ｇ）の一番上の面に接触していても良いが、その場合には、分離ローラー１５の回転を停止して自由回転可能にするか、分離ローラー１５の回転方向を前記正回転方向（図３を平面視して時計回り）に回転させると良い。
【００５４】
以上のように、分離ローラー１５の前記接触状態と前記離間状態とを切り替えることにより、媒体給送部１０における「第１給送モード」と「第２給送モード」との切り替えを容易に実現することができる。
【００５５】
■■■第１及び第２搬送ローラー対について■■■
ここで、発明が解決しようとする課題において説明したように、図３に示す冊子体Ｇには厚みがあるので、媒体給送部１０によって給送された冊子体Ｇが、下流側の第１搬送ローラー対１６や第２搬送ローラー対１７のローラー間に進入できず、ノンフィード状態になる場合がある。
【００５６】
この、第１搬送ローラー対１６或いは第２搬送ローラー対１７における冊子体Ｇのノンフィードを抑制するため、スキャナー１において、媒体給送部１０が「第２給送モード」で給送を行う場合に、第１搬送ローラー対１６の第１従動ローラー１６ｂ及び第２搬送ローラー対１７の第２従動ローラー１７ｂを、各搬送ローラー対が用紙を搬送する回転方向に駆動する。
【００５７】
すなわち、媒体給送部１０が「第２給送モード」で給送を行う場合に、第１従動ローラー１６ｂ及び第２従動ローラー１７ｂを、図３を平面視して時計回りに回転する。  
本実施形態において、第１従動ローラー１６ｂ及び第２従動ローラー１７ｂは、第２駆動源２７から動力を受けて、制御部１９によって駆動が制御されるように構成されている。勿論、第１駆動源２６から動力を受ける構成とすることもできるし、他の駆動源を設けることも可能である。  
そして、第１従動ローラー１６ｂ及び第２従動ローラー１７ｂに第１駆動源２６から動力を伝達する状態と、前記動力の伝達を切る状態とを切り換える不図示の切り換え手段が設けられており、前記切り替え手段を制御部１９が制御することにより、第１従動ローラー１６ｂ及び第２従動ローラー１７ｂが駆動回転する状態と、第１従動ローラー１６ｂ及び第２従動ローラー１７ｂが、第１駆動ローラー１６ａ及び第２駆動ローラー１７ａの回転に従動回転する状態と、を切り替えることができる。
【００５８】
このように、媒体給送部１０が「第２給送モード」で給送を行う場合に、第１従動ローラー１６ｂ及び第２従動ローラー１７ｂも用紙を搬送する方向に回転駆動されることにより、厚い冊子体Ｇが、第１搬送ローラー対１６及び第２搬送ローラー対１７のローラー間に進入し易くなり、以って、第１搬送ローラー対１６や第２搬送ローラー対１７におけるノンフィードの発生を抑制し、冊子体Ｇの適切な搬送を実現できる。
【００５９】
■■■第２給送モードにおける他の構成について■■■
「第２給送モード」を実行する場合、以下のような構成とすることができる。  
すなわち、媒体給送部１０と、媒体給送部１０に最も近い位置にある「駆動ローラー」である第１駆動ローラー１６ａとの間において、用紙を検出する「媒体検出部」として設けられる第２検出部２３（図２及び図３）が、媒体給送部１０が「第２給送モード」で給送する原稿（冊子体Ｇ）の先端の通過を検出した場合に、分離ローラー１５を前記接触状態（図３において実線で示す分離ローラー１５の状態）にして、前記正回転方向（図３において時計回り）に回転駆動する。
【００６０】
給送ローラー１４によって給送される冊子体Ｇがある程度送られた後、分離ローラー１５を前記接触状態にして、前記正回転方向に回転駆動させることにより、媒体給送部１０が冊子体Ｇに対して搬送力を付与する構成とすることができる。以って、冊子体Ｇを効率よく搬送することができる。  
尚、分離ローラー１５を前記接触状態にして前記正回転方向に回転駆動させるタイミングは、第２検出部２３が冊子体Ｇを検出したタイミングに限られない。例えば、第２検出部２３が冊子体Ｇを検出してから所定時間経過後、或いは所定量の搬送後に、分離ローラー１５を前記離間状態から前記接触状態に切り替え、前記正回転方向に回転駆動しても良い。
【００６１】
■■■読取部について■■■
続いて、読取部２０の構成について説明する。  
図３に示す読取部２０は、用紙搬送経路を挟んで上側に位置する第１読取部２０ａと、下側に位置する第２読取部２０ｂと、を備えている。つまり、第１読取部２０ａの読取面と第２読取部２０ｂの読取面の間隔が、用紙搬送経路の経路高さになっている。
【００６２】
通常、第１読取部２０ａの読取面と第２読取部２０ｂの読取面の間隔は、薄い用紙が通る間隔に設定されており、第１読取部２０ａと第２読取部２０ｂは、互いに近づく方向に押圧されている。このことによって、それぞれの読取部の読取面がしっかりと用紙Ｐ（原稿）に接触するようになっている。  
尚、図３において、符号３１が第１読取部２０ａを第２読取部２０ｂ側に押圧するコイルバネ等の第１押圧部材３１であり、符号３２が第２読取部２０ｂを第１読取部２０ａ側に押圧するコイルバネ等の第２押圧部材３２である。
【００６３】
また、第１読取部２０ａ或いは第２読取部２０ｂのいずれか一方は、他方に対して進退する様に変位可能に構成され、第１読取部２０ａと第２読取部２０ｂとの間隔を変更可能に構成されている。  
本実施形態においては、第１読取部２０ａに変位機構が設けられ、第１読取部２０ａを、図３において実線で示す進出位置と、同じく図３において点線で示す退避位置と、の間で変位させるように構成されている。前記変位機構としては、不図示の駆動源によって回転する第２偏心カム３３が設けられている。前記駆動源は、制御部１９によって制御されて、第２偏心カム３３の回転も制御され、以って、第１読取部２０ａと第２読取部２０ｂとの間隔を調整できるようになっている。
【００６４】
ここで、制御部１９は、媒体給送部１０が、「第２給送モード」を実行する場合の第１読取部２０ａと第２読取部２０ｂとの間隔を、「第１給送モード」を実行する場合の前記間隔よりも広くする制御を実行する。  
つまり、「第２給送モード」で冊子束Ｇを給送する場合に、第１読取部２０ａと第２読取部２０ｂとの間隔が広げられる。このことによって、一枚ずつ搬送される用紙Ｐよりも厚い冊子束Ｇが、第１読取部２０ａと第２読取部２０ｂとの間に引っかかってジャムが発生する虞を低減できる。
【００６５】
［第２実施形態］
本実施形態では、図４を参照して、媒体給送部１０が「第２給送モード」によって給送を行う場合における、第１搬送ローラー対１６或いは第２搬送ローラー対１７における冊子体Ｇのノンフィードを抑制するための構成の他の例について説明する。  
図４は、第２実施形態に係るスキャナーの概略側断面図である。  
尚、本実施形態以降の実施形態において、第１実施形態と同様の構成については同じ符号を付し、その説明を省略する。
【００６６】
第１搬送ローラー対１６或いは第２搬送ローラー対１７における冊子体Ｇのノンフィードは、以下の様な構成によっても抑制することができる。  
すなわち、第１搬送ローラー対１６に対しては、媒体給送部１０が、「第２給送モード」で給送を行う場合に、第１従動ローラー１６ｂが第１駆動ローラー１６ａに対して与える接触荷重を、「第１給送モード」を実行する場合における前記接触荷重よりも小さくする。また、第２搬送ローラー対１７に対しては、「第２給送モード」で給送を行う場合に、第２従動ローラー１７ｂが第２駆動ローラー１７ａに対して与える接触荷重を、「第１給送モード」を実行する場合における前記接触荷重よりも小さくする。
【００６７】
より具体的な構成としては、スキャナー１は、第１搬送ローラー対１６において第１従動ローラー１６ｂが第１駆動ローラー１６ａに対して与える接触荷重、及び、第２搬送ローラー対１７において第２従動ローラー１７ｂが第２駆動ローラー１７ａに対して与える接触荷重を変更可能な荷重付与手段４０を備えている。
【００６８】
荷重付与手段４０は、第１従動ローラー１６ｂ及び第２従動ローラー１７ｂが、それぞれ対応する駆動ローラー（第１駆動ローラー１６ａ及び第２駆動ローラー１７ａ）に対して前記接触荷重を与える方向（図４に示す矢印Ａ方向）に沿って変位可能なバネ支持部４１と、バネ支持部４１と第１従動ローラー１６ｂ、及びバネ支持部４１と第２従動ローラー１７ｂの間に設けられ、第１従動ローラー１６ｂ及び第２従動ローラー１７ｂを押圧する押圧バネ４２、押圧バネ４３と、を備えている。
【００６９】
第１従動ローラー１６ｂ及び第２従動ローラー１７ｂのそれぞれの前記接触荷重は、バネ支持部４１を変位させることにより調整することができる。  
バネ支持部４１を矢印Ａ方向に変位させる、つまり、バネ支持部４１を第１従動ローラー１６ｂ及び第２従動ローラー１７ｂに近づけると、前記接触荷重は大きくなり、バネ支持部４１を矢印Ａ方向の反対方向に変位させると、つまり、バネ支持部４１を第１従動ローラー１６ｂ及び第２従動ローラー１７ｂから遠ざけると、前記接触荷重は小さくなる。
【００７０】
本実施形態において、バネ支持部４１は、不図示の駆動源の動力を受ける第３偏心カム４４の回転によって変位するように構成されている。前記駆動源は、制御部１９によって制御されて、以って、第３偏心カム４４の回転が制御され、前記接触荷重を調整できる。  
尚、本実施形態においては、第１従動ローラー１６ｂ用の押圧バネ４２と、第２従動ローラー１７ｂ用の押圧バネ４３と、の双方が、共通のバネ支持部４１によって支持されているが、第１従動ローラー１６ｂ用の押圧バネ４２と、第２従動ローラー１７ｂ用の押圧バネ４３とのそれぞれを、個別のバネ支持部によって支持する構成とすることも可能である。  
以上のような構成の荷重付与手段４０によって、第１従動ローラー１６ｂ及び第２従動ローラー１７ｂが、対応する駆動ローラーである第１駆動ローラー１６ａ及び第２駆動ローラー１７ａに対して与える接触荷重を容易に調整することができる。
【００７１】
そして、媒体給送部１０が、「第２給送モード」で給送を行う場合に、第１従動ローラー１６ｂ及び第２従動ローラー１７ｂが、それぞれ対応する第１駆動ローラー１６ａ及び第２駆動ローラー１７ａに対して与える接触荷重を、「第１給送モード」を実行する場合における前記接触荷重よりも小さくするので、第１搬送ローラー対１６及び第２搬送ローラー対１７のローラー間に冊子体Ｇが進入し易くなる。以って、第１搬送ローラー対１６及び第２搬送ローラー対１７における冊子体Ｇのノンフィードの虞を低減し、冊子体Ｇの適切な搬送を実現できる。
【００７２】
また、本実施形態において、第１従動ローラー１６ｂ及び第２従動ローラー１７ｂは、不図示の変位手段により第１駆動ローラー１６ａ及び第２駆動ローラー１７ａからから離れる方向に移動され、第１駆動ローラー１６ａ及び第２駆動ローラー１７ａから離間可能に構成されている。そして、媒体給送部１０が、「第２給送モード」で給送を行う場合に、第１従動ローラー１６ｂ及び第２従動ローラー１７ｂを、第１駆動ローラー１６ａ及び第２駆動ローラー１７ａから離間させることができる。  
つまり、媒体給送部１０が「第２給送モード」で給送を行う場合に、前記接触荷重をゼロにする。このことによって、第１搬送ローラー対１６及び第２搬送ローラー対１７における冊子体Ｇのノンフィードの発生を一層抑制することができる。  
尚、前記変位手段は制御部１９によって制御されて、第１従動ローラー１６ｂ及び第２従動ローラー１７ｂの、第１駆動ローラー１６ａ及び第２駆動ローラー１７ａからの離間が制御される。
【００７３】
［第３実施形態］
スキャナー１には、読み取られる冊子体Ｇのページを自動でめくるページめくり機構５０を設けることができる。本実施形態では、図５及び図６を参照して、ページめくり機構５０について説明する。  
図５及び図６は、ページめくり機構によるページをめくり動作について説明する図である。
【００７４】
本実施形態において、図５及び図６に示すページめくり機構５０は、第１搬送ローラー対１６を構成する第１従動ローラー１６ｂに設けられている。言い換えると、スキャナー１は、ページめくり機構５０を有する第１従動ローラー１６ｂを備えている。  
より具体的には、ページめくり機構５０は、保持部５１と、保持部５１の先端に可動するように取り付けられた先端部５２を備え、これらが第１従動ローラー１６ｂに設けられている。
【００７５】
第１搬送ローラー対１６及び第２搬送ローラー対１７は、用紙を読取部２０による読み取り方向（＋Ｙ方向）に搬送する正回転方向（例えば、図５の一番上の図に矢印で示す回転方向）と、用紙を前記読み取り方向とは逆方向（−Ｙ方向）に搬送する逆回転方向（例えば、図５の上から二番目の図に矢印で示す回転方向）と、の双方に回転可能に構成されている。また、第１搬送ローラー対１６の第１従動ローラー１６ｂは、不図示の駆動源から動力を受けて、少なくとも前記逆回転方向に駆動回転可能に構成されている。  
そして、ページめくり機構５０は、前記逆回転方向に回転駆動される第１従動ローラー１６ｂによって、冊子体Ｇの最上位の媒体をめくる様に構成されている。
【００７６】
以下、図５及び図６を参照して、ページめくり機構５０によるページをめくり動作について説明する。  
図５の一番上の図は、冊子体Ｇの見開き１ページ目Ｐ１の読み取りが完了した状態を示している。読取部２０による読み取り時には、第１搬送ローラー対１６及び第２搬送ローラー対１７は、前記正回転方向に回転している。
【００７７】
見開き１ページ目の読み取りが完了後、図５の上から二番目の図に示すように、第１搬送ローラー対１６及び第２搬送ローラー対１７を前記逆回転方向に回転させて、冊子体Ｇの前記読み取り方向における先端を第１搬送ローラー対１６によってニップさせる。
【００７８】
冊子体Ｇの前記読み取り方向における先端が第１搬送ローラー対１６によってニップされたら、第１駆動ローラー１６ａは停止し、第１従動ローラー１６ｂのみを前記逆回転方向に回転駆動する。  
すると、図５の下から二番目の図に示すように、第１従動ローラー１６ｂが最上位のページをピックアップする。  
続けて第１従動ローラー１６ｂを前記逆回転方向に回転駆動すると、図５の一番下の図に示すように、ピックアップされたページの先端が保持部５１と先端部５２に引っかかって保持される。
【００７９】
第１従動ローラー１６ｂを前記逆回転方向に所定量回転駆動したら、第１従動ローラー１６ｂの駆動を停止し、図６の一番上の図に示すように、先端部５２を上方に折り曲げるように変位させる。これにより、保持部５１及び先端部５２に保持されていたページの先端が外れてめくられて、見開き２ページ目Ｐ２が開かれる。  
尚、先端部５２は、不図示の動力源からの動力を受けて動作する。
【００８０】
冊子体Ｇのページがめくられて見開き２ページ目Ｐ２が開かれた後、図６の上から二番目の図から同図の下から二番目の図に示すように、第１搬送ローラー対１６及び第２搬送ローラー対１７を、前記正回転方向に回転させて、見開き２ページ目Ｐ２の読み取りを行う。
【００８１】
見開き２ページ目Ｐ２の読み取りの完了（図６の下から二番目の図）後、更に次のページ（見開き３ページ目）の読み取りを行う場合には、図６の一番下の図に示すように、再度、第１搬送ローラー対１６及び第２搬送ローラー対１７を前記逆回転方向に回転させて、冊子体Ｇの前記読み取り方向における先端が第１搬送ローラー対１６によってニップされる位置まで送り、先端部５２を保持部５１に連なる向きに戻し、図５の下から二番目の図以降の動作を繰り返す。  
尚、図６の一番上の図において折り曲げられた先端部５２を、元の状態に戻すタイミングは、第１従動ローラー１６ｂのみを前記逆回転方向に回転駆動するページめくり動作（図５の下から二番目の図の動作）の開始前であればよく、ページめくり動作の直前に限られない。
【００８２】
以上のように、スキャナー１が、ページめくり機構５０を有する第１搬送ローラー対１６を備えることにより、冊子体Ｇのページを自動でめくりつつ読み取りを行うことができる。以って、冊子体Ｇの複数のページを連続して容易に読み取ることができる。
【００８３】
［第４実施形態］
本実施形態では、図７〜図１０を参照して、媒体給送部１０の「第１給送モード」と「第２給送モード」とを切り替える構成の他の例について説明する。  
図７は、媒体給送部の「第１給送モード」と「第２給送モード」との切り替えを操作する操作部が設けられたスキャナーを示す外観斜視図である。図８は、媒体給送部の「第１給送モード」における動力伝達機構の状態を示す斜視図である。図９は、媒体給送部の「第２給送モード」における状態を示す斜視図である。図１０は、動力伝達機構の要部拡大図であり、媒体給送部の「第１給送モード」と「第２給送モード」とを切り替えた場合の歯車の変位について説明する図である。
【００８４】
本実施形態において、媒体給送部１０が用紙を分離給送する「第１給送モード」と、媒体給送部１０が用紙を非分離給送する「第２給送モード」との切り替えは、分離ローラー１５への動力の伝達を繋いだ接続状態（図８）と、分離ローラー１５への動力の伝達が解除された解除状態（図９）と、を切り替えることにより行われる。  
言い換えると、分離ローラー１５に第２駆動源２７からの動力を伝達する動力伝達機構６０を備え、動力伝達機構６０は、歯合する複数の歯車によって構成される「輪列」としての第２輪列６２を有し、媒体給送部１０が「第２給送モード」で給送を行う場合に、第２輪列６２を構成する複数の歯車の一部の歯合が解除される。
【００８５】
以下、図８を参照して、動力伝達機構６０について説明する。  
動力伝達機構６０は、分離ローラー１５の不図示の回転軸に歯合する歯車を有する第１輪列６１と、装置本体２（図１）内部の−Ｘ方向側に設けられる第２輪列６２と、第１輪列６１と第２輪列６２とを繋ぐ軸部６３と、を備えている。
【００８６】
第２輪列６２は、歯車６４と、歯車６４と歯合する歯車６５と、歯車６５と歯合する歯車と軸部６３に連結される歯車とを含む歯車群６６と、を備えて構成されている。  
図８において、歯車６４は、第１搬送ローラー対１６の回転軸（不図示）に連結されており、第１搬送ローラー対１６（第２駆動源２７の動力で駆動される）を介して、第２駆動源２７から動力を受けるように構成されている。第２輪列６２の歯車６４が受けた動力は、軸部６３と第１輪列６１を介して分離ローラー１５に伝達される。
【００８７】
ここで、スキャナー１の上部ユニット４には、図７に示すように、媒体給送部１０の「第１給送モード」と「第２給送モード」との切り替えを操作する操作部６７が設けられている。符号６７ａは、操作用のつまみ部６７ａである。  
操作部６７は、上部ユニット４に対してＸ軸方向に往復スライドする様に設けられており、図８及び図９に示すように、連結部６８において、分離ローラー１５に第２駆動源２７からの動力を伝達する動力伝達機構６０を構成する第２輪列６２の歯車６５と連結されている。  
操作部６７と連結される歯車６５は、操作部６７のスライド方向にシフト移動可能に構成されている。このことにより、操作部６７をＸ軸方向にスライドさせて、歯車６５と歯車６４、及び、歯車６５と歯車群６６、が歯合した前記接続状態（図８）と、歯車６５と歯車６４、及び、歯車６５と歯車群６６の歯合が解除された解除状態（図９）と、を切り替えることができる。
【００８８】
本実施形態においては、操作部６７のつまみ部６７ａを＋Ｘ方向側にスライドさせた場合に、歯車６５が、図８及び図１０の実線で示す位置に配置され、歯車６５と歯車６４、及び、歯車６５と歯車群６６、が歯合する接続状態となる。  
前記接続状態では、分離ローラー１５に第２駆動源２７の動力が伝達され、分離ローラー１５による用紙の分離が行われる。すなわち、媒体給送部１０を「第１給送モード」とすることができる。  
尚、図１０においては、操作部６７及び連結部６８の記載を省略している。
【００８９】
また、操作部６７を−Ｘ方向側にスライドさせた場合には、歯車６５が、図９及び図１０の二点鎖線で示す位置に配置され、歯車６５と歯車６４の歯合、及び、歯車６５と歯車群６６の歯合が解除される解除状態となる。前記解除状態では、歯車６４から歯車群６６へ動力が伝わらないので分離ローラー１５は回転しない。つまり、分離ローラー１５による用紙の分離が行われない。したがって、媒体給送部１０を「第２給送モード」とすることができる。
【００９０】
以上の構成により、媒体給送部１０による「第１給送モード」の給送と「第２給送モード」の給送との切り替えを容易に実現できる。  
尚、上記で説明したように、操作部６７を用い、手動で歯車６５をＸ軸方向に変位させる他、例えば、ソレノイド等のアクチュエーターを用いて歯車６５を自動でＸ軸方向に変位させることも可能である。
【００９１】
また、スキャナー１は、媒体給送部１０の「第１給送モード」と「第２給送モード」とを切り替える構成として、第１実施形態において説明したような、分離ローラー１５を給送ローラー１４から離間させる構成と、本実施形態において説明したような、動力伝達機構６０の第２輪列６２を構成する歯車の歯合を解除する構成と、の双方を備えていても良い。  
分離ローラー１５を給送ローラー１４から離間させた上で、第２輪列６２を構成する歯車の歯合を解除して、分離ローラー１５の分離方向への回転を停止することができるので、より確実に分離ローラー１５による分離が行われない非分離の状態にすることができる。
【００９２】
尚、本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【００９３】
１…スキャナー（画像読取装置）、２…装置本体、３…下部ユニット、
４…上部ユニット、５…排紙トレイ、６…給送口、７…操作パネル、
８…第１補助ペーパーサポート、９…第２補助ペーパーサポート、
１０…媒体給送部、１１…媒体載置部、１２…エッジガイド、
１３…ガイド面、１４…給送ローラー、１５…分離ローラー、
１６…第１搬送ローラー対、１６ａ…第１駆動ローラー（駆動ローラー）、
１６ｂ…第１従動ローラー（従動ローラー）、１７…第２搬送ローラー対、
１７ａ…第２駆動ローラー（駆動ローラー）、
１７ｂ…第２従動ローラー（従動ローラー）、１８…排出口、
１９…制御部、２０…読取部、２０ａ…第１読取部、２０ｂ…第２読取部、
２２…第１検出部、２３…第２検出部、２４…第３検出部、２５…第４検出部、
２６…第１駆動源、２７…第２駆動源、２８…ホルダー、２９…押圧部材、
３０…第１偏心カム、３１…第１押圧部材、３２…第２押圧部材、
３３…第２偏心カム、４０…荷重付与手段、４１…バネ支持部、
４２…押圧バネ、４３…押圧バネ、４４…第３偏心カム、
５０…ページめくり機構、５１…保持部、５２…先端部、
６０…動力伝達機構、６１…第１輪列、６２…第２輪列、６３…軸部、
６４…歯車、６５…歯車、６６…歯車群、６７…操作部、６８…連結部、
Ｐ…用紙（媒体）、Ｇ…冊子体（媒体束）
【図１】
0006875664.tif 000002
【図２】
0006875664.tif 000003
【図３】
0006875664.tif 000004
【図４】
0006875664.tif 000005
【図５】
0006875664.tif 000006
【図６】
0006875664.tif 000007
【図７】
0006875664.tif 000008
【図８】
0006875664.tif 000009
【図９】
0006875664.tif 000010
【図１０】
0006875664.tif 000011